(57)【要約】【課題】  吊り下げられて待機している上段の壁パネルが落下するのを確実にかつ作業性良く防止することができる上部パネル落下防止治具を提供する。【解決手段】  上部パネル落下防止治具１は、垂直棒状部２と、下部パネル被せ部３と、上部パネル受け部４とを備える。垂直棒状部２は、取付け作業中の壁パネルである下部パネル１０Ａとその１つ上の壁パネルである上部パネル１０Ｂとの間に垂直に立つ姿勢で配置される。下部パネル被せ部３は、垂直棒状部２の下端に設けられ、下部パネル１０Ａの上端に被せた状態において同パネルに対して厚さ方向にずれるのを規制する形状である。上部パネル受け部４は、垂直棒状部２の上端に設けられ、上部パネル１０Ｂの下端を受ける状態において同パネルが厚さ方向にずれるのを規制する形状である。【選択図】        図６
2015229885.tif 000002
【特許請求の範囲】
【請求項１】
互いに上下に間隔を開けて吊り下げられた複数の壁パネルを下段のものから順に建物躯体に取り付ける施工現場において、取付け作業中の壁パネルよりも上段の壁パネルが落下するのを防止する上部パネル落下防止治具であって、
取付け作業中の壁パネルである下部パネルとその１つ上の壁パネルである上部パネルとの間に垂直に立つ姿勢で配置される垂直棒状部と、この垂直棒状部の下端に設けられ、前記下部パネルの上端に被せた状態において同パネルに対して厚さ方向にずれるのを規制する形状とされた下部パネル被せ部と、前記垂直棒状部の上端に設けられ、前記上部パネルの下端を受ける状態において同パネルが厚さ方向にずれるのを規制する形状とされた上部パネル受け部とを備えることを特徴とする上部パネル落下防止治具。
【請求項２】
請求項１に記載の上部パネル落下防止治具において、前記下部パネル被せ部における前記下部パネルの小口部が接する箇所に緩衝材を設け、かつ前記上部パネル受け部における前記上部パネルの小口部が接する箇所に緩衝材を設けた上部パネル落下防止治具。
【請求項３】
請求項１または請求項２に記載の上部パネル落下防止治具において、前記下部パネル被せ部は下方が開放した溝形であり、前記上部パネル受け部は上方が開放した溝形である上部パネル落下防止治具。
【請求項４】
請求項１に記載の上部パネル落下防止治具において、前記垂直棒状部、下部パネル被せ部、および上部パネル受け部を、樹脂材により一体成形した上部パネル落下防止治具。
【請求項５】
複数の壁パネルを互いに上下に間隔を開けて多段に吊り下げられた状態で建物躯体の取付け箇所まで移動させ、これら多段に吊り下げられた複数の壁パネルを下段のものから順に建物躯体に対して位置決めし、かつ建物躯体に取り付ける壁の施工方法であって、
取付け作業中の壁パネルである下部パネルとその１つ上の壁パネルである上部パネルとの間に、請求項１ないし請求項４のいずれか１項に記載の上部パネル落下防止治具を、前記垂直棒状部が垂直に立つ姿勢で配置し、前記垂直棒状部により前記上部パネルの荷重を受け、かつ前記下部パネル被せ部により前記下部パネルに対して厚さ方向にずれるのを防止し、かつ前記上部パネル受け部により前記上部パネルが厚さ方向にずれるのを防止することを特徴とする壁の施工方法。
【発明の詳細な説明】
【技術分野】
【０００１】
この発明は、物流施設等の鉄骨系建物等における壁パネルの施工時に、吊り下げられた状態で待機している上部の壁パネルが落下することを防止する上部パネル落下防止治具、およびこれを用いた壁の施工方法に関する。
【背景技術】
【０００２】
物流施設、コンビニエンスストア等の建物の外壁を、横長の壁パネルを上下に複数段並べて構築することがある。このような外壁につき、従来の一般的な施工方法では、クレーン等により壁パネルを１枚ずつ吊り下げて建物躯体の取付け箇所まで運んで取り付けていた。
【先行技術文献】
【特許文献】
【０００３】
【特許文献１】特許第４７０９３２１号
【特許文献２】特許第５０５９５６７号
【特許文献３】特開２００４−３４６６０１号公報
【特許文献４】特開平０１−１８２４６６号公報
【特許文献５】実開平０１−０８５３７９号公報
【発明の概要】
【発明が解決しようとする課題】
【０００４】
上記のように壁パネルを１枚ずつ吊り下げて運ぶ施工方法は、１枚の壁パネルの取付けが完了してから、離れた置き場に置かれている次の壁パネルをクレーンにより建物躯体の取付け箇所まで運んで来るまでに時間がかかり、作業能率を向上させる上での障害となっていた。特に、建物躯体の屋外側に足場が組まれていてクレーン操作が難しい場合は、さらに時間がかかり、より一層の作業能率の低下を招くこととなる。
【０００５】
そこで、複数の壁パネル、例えば１階分の枚数の壁パネルを多段に吊り下げて建物躯体の取付け箇所まで運び、その吊り下げられた複数の壁パネルを下から順に建物躯体に取り付ける施工方法を検討した。しかし、この方法で施工するには、安全確保のために、吊り下げられた状態で待機している上部の壁パネルが落下することを確実に防止することが求められる。
【０００６】
この発明の目的は、吊り下げられて待機している上部の壁パネルが落下するのを確実にかつ作業性良く防止することができる上部パネル落下防止治具を提供することである。
この発明の他の目的は、吊り下げられて待機している上部の壁パネルが落下することなく、安全にかつ作業性良く壁パネルの取付け作業を行える壁の施工方法を提供することである。
【課題を解決するための手段】
【０００７】
この発明の上部パネル落下防止治具は、互いに上下に間隔を開けて吊り下げられた複数の壁パネルを下段のものから順に建物躯体に取り付ける施工現場において、取付け作業中の壁パネルよりも上段の壁パネルが落下するのを防止する上部パネル落下防止治具であって、取付け作業中の壁パネルである下部パネルとその１つ上の壁パネルである上部パネルとの間に垂直に立つ姿勢で配置される垂直棒状部と、この垂直棒状部の下端に設けられ、前記下部パネルの上端に被せた状態において同パネルに対して厚さ方向にずれるのを規制する形状とされた下部パネル被せ部と、前記垂直棒状部の上端に設けられ、前記上部パネルの下端を受ける状態において同パネルが厚さ方向にずれるのを規制する形状とされた上部パネル受け部とを備えることを特徴とする。
【０００８】
この上部パネル落下防止治具は次のように用いる。すなわち、多段に吊り下げた複数枚の壁パネルのうち、取付け作業中の壁パネルである下部パネルとその１つ上の壁パネルである上部パネルとの間に、上部パネル落下防止治具を配置する。このとき、垂直棒状部が垂直に立つ姿勢となり、下部パネル被せ部が下部パネルの上端に被さり、上部パネル受け部で上部パネルの下端を受けるようにする。これにより、垂直棒状部が上部パネルの荷重を受けることで、上部パネルが不測に落下することを防止できる。下部パネル被せ部が下部パネルの上端に被さっているため、下部パネルに対して上部パネル落下防止治具が壁厚さ方向にずれるのが規制される。また、上部パネル受け部で上部パネルの下端を受けているため、上部パネル落下防止治具に対して上部パネルが壁厚さ方向にずれるのが規制される。これらのことから、下部パネルの取付け作業を安全に行える。
この上部パネル落下防止治具は、下部パネル被せ部を下部パネルの上端に被せ、上部パネル受け部で上部パネルの下端を受けるように配置するだけであるため、配置および撤去が容易であり、作業性が良い。
【０００９】
この発明の上部パネル落下防止治具において、前記下部パネル被せ部における前記下部パネルの小口部が接する箇所に緩衝材を設け、かつ前記上部パネル受け部における前記上部パネルの小口部が接する箇所に緩衝材を設けると良い。
この場合、上部パネル落下防止治具の下部パネル被せ部および上部パネル受け部とそれぞれ接する下部パネルおよび上部パネルの各小口部を保護することができる。
【００１０】
この発明の上部パネル落下防止治具において、前記下部パネル被せ部は下方が開放した溝形であり、前記上部パネル受け部は上方が開放した溝形であっても良い。
このような溝形とすると、下部パネルに対する下部パネル被せ部の壁厚さ方向のずれ、および上部パネル受け部に対する上部パネルの壁厚さ方向のずれを確実に防止することができる。
【００１１】
この発明の上部パネル落下防止治具において、前記垂直棒状部、下部パネル被せ部、および上部パネル受け部を、樹脂材により一体成形しても良い。この場合、この治具の製造が簡単である。
【００１２】
この発明の壁の施工方法は、複数の壁パネルを互いに上下に間隔を開けて多段に吊り下げられた状態で建物躯体の取付け箇所まで移動させ、これら多段に吊り下げられた複数の壁パネルを下段のものから順に建物躯体に対して位置決めし、かつ建物躯体に取り付ける方法であって、取付け作業中の壁パネルである下部パネルとその１つ上の壁パネルである上部パネルとの間に、前記上部パネル落下防止治具を前記垂直棒状部が垂直に立つ姿勢で配置し、前記垂直棒状部により前記上部パネルの荷重を受け、かつ前記下部パネル被せ部により前記下部パネルに対して厚さ方向にずれるのを防止し、かつ前記上部パネル受け部により前記上部パネルが厚さ方向にずれるのを防止することを特徴とする。
【００１３】
この壁の施工方法によると、下部パネルに対して壁厚さ方向にずれないように配置した上部パネル落下防止治具により、上部パネルが壁厚さ方向にずれることなく上部パネルの荷重を受けるため、上部パネルが落下することが確実に防止され、下部パネルの取付け作業を安全に行うことができる。また、上部パネル落下防止治具は、下部パネル被せ部を下部パネルの上端に被せ、上部パネル受け部で上部パネルの下端を受けるように配置するだけであるため、配置および撤去が容易であり、作業性が良い。
【発明の効果】
【００１４】
この発明の上部パネル落下防止治具は、互いに上下に間隔を開けて吊り下げられた複数の壁パネルを下段のものから順に建物躯体に取り付ける施工現場において、取付け作業中の壁パネルよりも上段の壁パネルが落下するのを防止する上部パネル落下防止治具であって、取付け作業中の壁パネルである下部パネルとその１つ上の壁パネルである上部パネルとの間に垂直に立つ姿勢で配置される垂直棒状部と、この垂直棒状部の下端に設けられ、前記下部パネルの上端に被せた状態において同パネルに対して厚さ方向にずれるのを規制する形状とされた下部パネル被せ部と、前記垂直棒状部の上端に設けられ、前記上部パネルの下端を受ける状態において同パネルが厚さ方向にずれるのを規制する形状とされた上部パネル受け部とを備えるため、吊り下げられて待機している上部の壁パネルが落下するのを確実にかつ作業性良く防止することができる。
【００１５】
この発明の壁の施工方法は、複数の壁パネルを互いに上下に間隔を開けて多段に吊り下げられた状態で建物躯体の取付け箇所まで移動させ、これら多段に吊り下げられた複数の壁パネルを下段のものから順に建物躯体に対して位置決めし、かつ建物躯体に取り付ける壁の施工方法であって、取付け作業中の壁パネルである下部パネルとその１つ上の壁パネルである上部パネルとの間に、請求項１ないし請求項４のいずれか１項に記載の上部パネル落下防止治具を、前記垂直棒状部が垂直に立つ姿勢で配置し、前記垂直棒状部により前記上部パネルの荷重を受け、かつ前記下部パネル被せ部により前記下部パネルに対して厚さ方向にずれるのを防止し、かつ前記上部パネル受け部により前記上部パネルが厚さ方向にずれるのを防止するため、吊り下げられて待機している上部の壁パネルが落下することなく、安全にかつ作業性良く壁パネルの取付け作業を行える。
【図面の簡単な説明】
【００１６】
【図１】（Ａ）はこの発明の一実施形態にかかる上部パネル落下防止治具の正面図、（Ｂ）はその側面図である。
【図２】上下の壁パネルの結合部の（Ａ）結合前の状態を示す断面図、（Ｂ）結合後の状態を示す断面図である。
【図３】複数の壁パネルを多段に吊り下げた状態を示す図である。
【図４】図１の上部パネル落下防止治具を用いた壁の施工方法の説明図その１である。
【図５】図１の上部パネル落下防止治具を用いた壁の施工方法の説明図その２である。
【図６】（Ａ）は図１の上部パネル落下防止治具の使用状態を示す正面図、（Ｂ）はその側面図である。
【図７】この発明の異なる実施形態にかかる上部パネル落下防止治具の側面図である。
【発明を実施するための形態】
【００１７】
この発明の実施形態を図面と共に説明する。
図１はこの発明の一実施形態にかかる上部パネル落下防止治具の正面図と側面図である。この上部パネル落下防止治具１は、角型鋼管等からなる垂直棒状部２と、この垂直棒状部の一端に溶接等により固定された金属製の下部パネル被せ部３と、垂直棒状部の一端に設けられた金属製の上部パネル受け部４とを有する。下部パネル被せ部３および上部パネル受け部４は、底部３ａ，４ａと一対の側部３ｂ，３ｃ，４ｂ，４ｃとからなる溝形であって、例えば軽量溝形鋼の切断品、または鋼板を溝形に折り曲げたものであり、開放側が垂直棒状部２の長さ方向の外側を向くように溶接等により垂直棒状部２にそれぞれ固定されている。下部パネル被せ部３および上部パネル受け部４の幅は、垂直棒状部２の幅よりも広い。下部パネル被せ部３の片方の側面部３ｂにはねじ孔５が設けられている。図の例では、ねじ孔５の数が２つであるが、数は特に限定しない。
【００１８】
下部パネル被せ部３における底部３ａ、およびねじ孔５が設けられていない側部３ｃの内面には、発泡ウレタン等の発泡樹脂からなる緩衝材６，７が貼り付けられている。また、上部パネル受け部４における底部３ａにも、発泡ウレタン等の発泡樹脂からなる緩衝材８が貼り付けられている。上部パネル受け部４の緩衝材８は、下部パネル被せ部３の緩衝材６，７よりも肉厚が厚いブロック形状である。
【００１９】
この上部パネル落下防止治具１の使用対象となる壁パネル１０は、図３に示すような横長の形状であり、３〜５枚で建物の１階分となる。壁パネル１０の断面は、例えば図２に示すように、共に金属板からなる外皮材１１および内皮材１２で断熱材１３を挟み込んだ構成である。外皮材１１および内皮材１２は、メッキ鋼板、アルミニウム板等である。断熱材１３は、ロックウール、発泡スチロール、ウレタン等である。
【００２０】
壁パネル１０の上端部は、外皮材１１および内皮材１２を折り曲げ加工することで、屋外側および屋内側の面が他よりも壁パネル１０の厚み方向内側にそれぞれ距離ａ，ｂだけ後退した形状としてある。屋外側の上端後退部１４の上下寸法ｃの方が、屋内側の上端後退部１５の上下寸法ｄよりも長い。外皮材１１および内皮材１２の上端側の先端は、内側に屈曲したリップ部１１ａ，１２ａになっている。
【００２１】
また、壁パネル１０の下端部は、外皮材１１および内皮材１２の下端部を上方に折り返した下端折返し部１６，１７とした形状とすることで、厚み方向中央部が下端側に開口する凹み部１８になっている。外皮材１１の下端折返し部１６の方が、内皮材１２の下端折返し部１７よりも下方に長く延びている。外皮材１１および内皮材１２の下端側の先端は、内側に屈曲したリップ部１１ｂ，１２ｂになっている。前記凹み部１８には、リップ部１１ｂ，１２ｂと同じ厚み方向位置にパッキン２０が設けられ、リップ部１１ｂ，１２ｂ間と同じ厚み方向位置にセラミックファイバー等からなる栓材２１が設けられている。
【００２２】
建物躯体に建て込んだ状態では、図２（Ｂ）のように、ドリル付きタッピングビス等のビス２２により建物躯体２３に仮固定された下側の壁パネル１０の上端後退部１４，１５に、上側の壁パネル１０の下端折返し部１６，１７を嵌り込む。これにより、上下の壁パネル１０，１０が互いに厚み方向に動かないように固定される。前記パッキン２０および栓材２１は、上側の壁パネル１０の重量で押し潰された状態となる。上記ビス２２による仮固定は壁パネル１０の上端部に対して行い、上側に別の壁パネル１０を建て込むと、この上側の壁パネル１０に隠れて外部からビス２２が見えなくなる。
【００２３】
この上部パネル落下防止治具１を用いて行う壁の施工方法を説明する。
図３のように、１階分の所定枚数(例えば４枚)の壁パネル１０をクレーンにより多段に吊り下げて、建設現場の資材置き場から建物躯体の取付け箇所まで移動させる。壁パネル１０の吊り下げには、吊り材組２５を用いる。吊り材組２５は、Ｈ形鋼等の鉄骨材２６ａに適当間隔で複数の引っ掛け具２６ｂを設けた水平棒状治具（「吊り上げ用天秤」とも称される）２６と、この水平棒状治具２６から垂れ下がる複数本（例えば２本）の吊り材２７とで構成される。吊り材２７は、例えばナイロンスリングからなる。吊り材組２５の左右バランスがとれるように、水平棒状治具２６の適正な位置の引っ掛け具２６ｂに各吊り材２７の上端が引っ掛けられる。さらに、水平棒状治具２６に玉掛けワイヤー２９を取り付け、その玉掛けワイヤー２９をクレーンのワイヤーフック（図示せず）に掛ける。そして、各吊り材２７の決められた高さ位置に、所定枚数の壁パネル１０の各上部に取り付けた連結具３０をそれぞれ連結し、吊り材組２５をクレーンで引き上げることで、所定枚数の壁パネル１０を互いに上下間隔ｅを開けて多段に吊り下げる。このように、複数の吊り材２７を有する吊り材組２５を用いると、各壁パネル１０を適正な姿勢に保ったまま吊り下げることができる。
【００２４】
このように多段に吊り下げた壁パネル１０を、図４（Ａ）のように建物躯体２３の近傍まで移動させたなら、最下段の壁パネル１０を建物躯体２３の最下段の取付け箇所に位置合わせして、ビス２２(図２（Ｂ）)で建物躯体２３に仮固定する。壁パネル１０の位置合わせは、例えば建物躯体２３内の作業者が吊り材２７を引き寄せて行う。
図５のように、水平棒状部材２６に取り付けた補助ロープ３１を壁パネル１０の建物躯体を向く側に垂らし、この補助ロープ３１を吊り材２７に接続しておけば、この補助ロープ３１を引っ張ることで容易に壁パネル１０の位置合わせをすることができる。また、壁パネル１０の移動時や下降時に補助ロープ３１を使って壁パネル１０の揺れを防止することもできる。
【００２５】
次に、図４（Ｂ）のように、最下段の取付け作業中の壁パネル１０である下部パネル１０Ａと、その１つ上の壁パネル１０である上部パネル１０Ｂとの間に上部パネル落下防止治具１を配置し、上部パネル落下防止治具１により上部パネル１０Ｂを支える状態で下部パネル１０Ａを建物躯体１５に取り付ける。
【００２６】
上部パネル落下防止治具１の配置は、図６のように、垂直棒状部２が垂直に立つ姿勢で、下部パネル被せ部３を下部パネル１０Ａの上端部に被せ、下部パネル被せ部３のねじ孔５に螺着したねじ３０の先端を下部パネル１０Ａの室内側の側面に軽く当てることで、下部パネル被せ部３が下部パネル１０Ａから外れないようにしておく。その状態で、上部パネル１０Ｂを下ろして、上部パネル受け部４で上部パネル１０の下端を受ける。下部パネル被せ部３における下部パネル１０Ａの小口部が接する箇所に緩衝材６を設けられ、かつ上部パネル受け部４における上部パネル１０Ｂの小口部が接する箇所に緩衝材８が設けられているので、下部パネル１０Ａおよび上部パネル１０Ｂの各小口部を保護することができる。また、下部パネル被せ部３の緩衝材７は、下部パネル１０Ｂが下部パネル被せ部３に直接に当ることを防いで、下部パネル１０Ａの側面を保護している。
【００２７】
このように、上部パネル落下防止治具１を配置すると、垂直棒状部２が上部パネル１０Ｂの荷重を受けることで、上部パネル１０Ｂが不測に落下することを防止できる。下部パネル被せ部３が下部パネル１０Ａの上端に被さっているため、下部パネル１０Ａに対して上部パネル落下防止治具１が壁厚さ方向にずれるのが規制される。また、上部パネル受け部４で上部パネル１０Ｂの下端を受けているため、上部パネル落下防止治具１に対して上部パネル１０Ｂが壁厚さ方向にずれるのが規制される。これらのことから、下部パネル１０Ａの取付け作業を安全に行える。
【００２８】
最下段の壁パネル１０の取付けが完了したら、上部パネル落下防止治具１を外して、吊り材組２５を壁パネル間の上下間隔ｅ分だけ下降させる。これにより、図４（Ｃ）のように、下から２段目の壁パネル１０を下から２段目の取付け箇所に供給される。下から２段目の壁パネル１０を建物躯体２３に取り付ける際には、図２（Ｂ）に示すように、下側の壁パネル１０の上端部を上側の壁パネル１０の下端部に嵌めることで、上下に隣合う２つの壁パネル１０を互いに結合する。このように上下両壁パネル１０を結合すると、壁パネル同士が強固に結合されると共に、他の部材を用いずに壁パネル同士を結合することができ、壁パネル１０の取付けが容易である。以下同様にして、全ての壁パネル１０を建物躯体２３に取り付ける。
【００２９】
上記壁の施工方法によると、１つの壁パネル１０の取付けが完了したら、すぐに次の壁パネル１０を供給することができるため、効率良く壁パネル１０の取付け作業を行える。上部パネル落下防止治具１で上部パネル１０Ｂを支えながら取付け作業を行うので、不測に上部パネル１０Ｂが落下することがなく、安全である。また、上部パネル落下防止治具は、下部パネル被せ部を下部パネルの上端に被せ、上部パネル受け部で上部パネルの下端を受けるように配置するだけであるため、配置および撤去が容易であり、作業性が良い。さらに、仮置き場等から建物躯体２３まで壁パネル１０を運ぶ際にも、吊り材組２５により複数の壁パネル１０を多段に吊り下げることで、一度に複数の壁パネル１０を運ぶことができ、時間短縮を図ることができる。
【００３０】
上記実施形態の上部パネル落下防止治具１は全体が鋼材からなるが、上部パネル落下防止治具１は、発泡ウレタンや硬質ウレタン等の樹脂材でできていても良い。その場合、垂直棒状部２、下部パネル被せ部３、および上部パネル受け部４を一体成形することができ、加工が容易である。この例では、下部パネル被せ部３は下部パネル１０Ａの上端が嵌る溝状であり、上部パネル受け部４は上部パネル１０Ｂの下端が嵌る溝状である。この樹脂製の上部パネル落下防止治具１は、全体が柔らかい材質からなるため、壁パネル以外の部材同士の間隔保持に用いることもできる。
【符号の説明】
【００３１】
１…上部パネル落下防止治具
２…垂直棒状部
３…下部パネル被せ部
４…上部パネル受け部
６，７，８…緩衝材
１０…壁パネル
１０Ａ…下部パネル
１０Ｂ…上部パネル
２３…建物躯体
【図１】
2015229885.tif 000003
【図２】
2015229885.tif 000004
【図３】
2015229885.tif 000005
【図４】
2015229885.tif 000006
【図５】
2015229885.tif 000007
【図６】
2015229885.tif 000008
【図７】
2015229885.tif 000009